(57)【要約】【課題】この発明は、簡易な構成で、ブラストの影響を軽減し得るようにして、飛翔体の安定した高精度な発射を実現することにある。【解決手段】発射筒１０内に、挿着された飛翔体１２の後端側であって、該飛翔体１２の上下方向を挟んで一対のブラスト偏向板１８１，１８２を設けて構成したものである。【選択図】      図１
2009014224.tif 000002
【特許請求の範囲】
【請求項１】
飛翔体が挿着される発射筒と、
この発射筒の後端部に配置され、前記飛翔体の発射に伴うブラストにより破られる膜が設けられた後蓋と、
前記発射筒に挿着された前記飛翔体の後端側に、該飛翔体を挟んで配置される少なくとも一対のブラスト偏向板と、
を具備することを特徴とする飛翔体発射装置。
【請求項２】
前記一対のブラスト偏向板は、前記飛翔体の上下方向に配置されることを特徴とする請求項１記載の飛翔体発射装置。
【請求項３】
前記一対のブラスト偏向板は、前記発射筒内に設けられることを特徴とする請求項１又は２記載の飛翔体発射装置。
【請求項４】
前記一対のブラスト偏向板は、前記後蓋に設けられることを特徴とする請求項１又は２記載の飛翔体発射装置。
【発明の詳細な説明】
【技術分野】
【０００１】
この発明は、例えば発射筒を用いて飛翔体を発射させる飛翔体発射装置に関する。
【背景技術】
【０００２】
一般に、この種の飛翔体発射装置は、発射筒の後端に、例えば薄い樹脂製の膜等を設けた後蓋が配され、この発射筒に飛翔体が挿着される。そして、このような飛翔体発射装置は、発射筒内の飛翔体が点火されると、その後方から高温、高速のブラスト（圧縮性流体）が発生され、このブラストが後蓋の膜を破って発射筒外に排出される。
【０００３】
ところで、このブラストは、発射筒内に不均一に噴射されると、その反力により発射筒に不均一な力が働き、飛翔体の飛翔に悪影響をおよぼすという不都合を有することで、ブラストが発射筒外に円滑に排出されるように構成することが要請される。
【０００４】
このようなブラストに関する提案としては、発射筒の後端に噴射ガス偏向板を配して、発射筒から排出されたブラストを噴射ガス偏向板で発射機後方に偏向する構成のものが知られている（例えば、特許文献１参照。）。
【特許文献１】特開平４−２６０７９９号公報
【発明の開示】
【発明が解決しようとする課題】
【０００５】
しかしながら、上記飛翔体発射装置では、発射筒の外で偏向する構成のために、発射筒内におけるブラストの影響を受けるために、発射筒を堅牢したりしなければならないという問題を有する。
【０００６】
この発明は、上記の事情に鑑みてなされたもので、簡易な構成で、ブラストの影響を軽減し得るようにして、飛翔体の安定した高精度な発射を実現した飛翔体発射装置を提供することを目的とする。
【課題を解決するための手段】
【０００７】
この発明は、飛翔体が挿着される発射筒と、この発射筒の後端部に配置され、前記飛翔体の発射に伴うブラストにより破られる膜が設けられた後蓋と、前記発射筒に挿着された前記飛翔体の後端側に、該飛翔体を挟んで配置される少なくとも一対のブラスト偏向板とを備えて飛翔体発射装置を構成した。
【０００８】
上記構成によれば、飛翔体が点火されてブラストが発生すると、ブラストは、発射筒の後蓋の膜を破って外に噴射されると共に、その一部が後端を挟んで配置された一対のブラスト偏向板に当接しながら外部に排出される。この際、一対のブラスト偏向板は、当接したブラストにより、飛翔体の飛翔方向に直交する互いに打ち消し合う逆方向の反力を発生させることにより、ブラストによる発射筒に対する影響を防止する。
【０００９】
従って、ブラストの後蓋からの円滑な排出が可能となり、安定した高精度な飛翔体発射の促進を図ることが可能となる。
【発明の効果】
【００１０】
以上述べたように、この発明によれば、簡易な構成で、ブラストの影響を軽減し得るようにして、飛翔体の安定した高精度な発射を実現した飛翔体発射装置を提供することができる。
【発明を実施するための最良の形態】
【００１１】
以下、この発明の実施の形態について、図面を参照して詳細に説明する。
【００１２】
図１は、この発明の一実施の形態に係る飛翔体発射装置を示すもので、発射筒１０は、いわゆる断面たる型形状や円筒形状等の筒状に形成され、例えば斜め上方に向けて設置される。この発射筒１０には、その内部に飛翔体挿着用ガイドレール１１が設けられ、このガイドレール１１には、飛翔体１２に設けられたシューと称する複数の取付部１３が移動自在に装着される。
【００１３】
また、発射筒１０には、複数の振れ止め機構１４がガイドレール１１に対向して上下方向に移動自在に設けられる。この振れ止め機構１４は、上記ガイドレール１１に取付部１３が装着されて発射筒１０内に挿着された飛翔体１２を発射筒１０内に発射可能に位置決め保持する。
【００１４】
さらに、発射筒１０の後端には、後蓋１５が被着される。この後蓋１５には、図２に示すようにその窓部１５１が上記飛翔体１２の後端に対向して設けられ、この窓部１５１には、アルミニウム等の金属材料あるいは樹脂材料性の破損可能な膜１６が取付けられる。この膜１６は、上記飛翔体１２の推進薬が点火されて発射されてブラスト（圧縮性流体）１７（図３参照）が発生すると、該ブラスト１７により破られ、該ブラスト１７が後蓋１５の窓１５１から排出される。
【００１５】
また、上記発射筒１０には、飛翔体１２の後端に対向する内壁に一対のブラスト偏向板１８１，１８２が、例えば飛翔体１２の上側及び下側となる位置に該飛翔体１２の後端を挟んで設けられる。この一対のブラス偏向板１８１，１８２は、図３に示すように傾斜面が後端方向の内径が狭められるように傾斜されて形成される。この一対のブラスト偏向板１８１，１８２は、飛翔体１２から噴射されるブラスト１７を受けると、飛翔方向と直交する互いに打ち消し合う逆方向の反力ａ１，ａ２を発生させることで、発射筒１０に対して上下方向への力として作用させずに、ブラスト１７による発射筒１０への影響を軽減させる作用を奏する。
【００１６】
なお、このブラスト偏向板１８１，１８２には、例えば発射筒１０内に挿着された飛翔体１２と図示しない外部機器との接続に供する外部接続コネクタ等を配置することも可能である。
【００１７】
上記構成において、飛翔体１２の取付部１３が発射筒１０のガイドレール１１に取付けられて発射位置に挿着されると、飛翔体１２は、振れ止め機構１４とガイドレール１１により発射位置に位置決めされる。そして、発射筒１０内の飛翔体１２は、その推進薬が点火されると、後端からブラスト１７を噴射する。この飛翔体１２から噴射されたブラスト１７は、先ず、後蓋１５の膜１６を破りブラスト偏向板１８１，１８２に当接しながら後蓋１５の窓１５１から外部に排出される。
【００１８】
この際、一対のブラスト偏向板１８１，１８２は、当接したブラスト１７により、飛翔体１２の飛翔方向に直交する互いに打ち消し合う逆方向の反力ａ１，ａ２を発生させて、ブラスト１７による発射筒１０におよぼす影響を防止する。これにより、ブラスト１７が発射筒１０の後蓋１５の窓１５１から円滑に排出され、ブラスト１７による影響が軽減されて、飛翔体１０の安定した発射を行うことができる。
【００１９】
このように、上記飛翔体発射装置は、発射筒１０内に、挿着された飛翔体１２の後端側であって、該飛翔体１２の上下方向を挟んで一対のブラスト偏向板１８１，１８２を設けて構成した。
【００２０】
これによれば、飛翔体１２が点火されてブラスト１７が発生すると、ブラスト１７は、飛翔体１２の後部からその一部が後端を挟んで配置されたブラスト偏向板１８１，１８２に当接しながら後蓋１５の膜１６を破り、窓部１５１から外部に排出される。この際、一対のブラスト偏向板１８１，１８２は、飛翔体１２の飛翔方向に直交する互いに打ち消し合う逆方向の反力ａ１．ａ２を発生させて、ブラスト１７による発射筒１０におよぼす影響を防止する。この結果、ブラスト１７の後蓋１５からの円滑な排出が可能となり、飛翔体１２の安定した高精度な発射を容易に行うことができる。
【００２１】
なお、上記実施の形態では、一対のブラスト偏向板１８１，１８２を発射筒１０内に設けるように構成した場合について説明したが、これに限ることなく、その他、後蓋１５にブラスト偏向板１８１，１８２を設けて構成することも可能で、同様に有効な効果が期待される。
【００２２】
また、上記実施の形態では、一対のブラスト偏向板１８１，１８２を飛翔体１２の上下方向に該飛翔体１２を挟んで配置するように構成した場合について説明したが、これに限ることなく、例えば一対のブラスト偏向板１８１，１８２を、飛翔体１０の上下方向と直交する方向に該飛翔体を挟んで配置したり、あるいは上下方向及び上下方向と直交する方向の双方に配するように構成してもよい。
【００２３】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００２４】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００２５】
【図１】この発明の一実施の形態に係る飛翔体発射装置の設置状態を示した断面図である。
【図２】図１の発射筒を後蓋側より見た状態を示した平面図である。
【図３】図１の一対のブラスト偏向板の作用を説明するために示した断面図である。
【符号の説明】
【００２６】
１０…発射筒、１１…ガイドレール、１２…飛翔体、１３…取付部、１４…振れ止め機構、１５…後蓋、１５１…窓部、１６…膜、１７…ブラスト、１８１，１８２…ブラスト偏向板。
【図１】
2009014224.tif 000003
【図２】
2009014224.tif 000004
【図３】
2009014224.tif 000005